【手続補正書】
【提出日】平成21年3月27日(2009.3.27)
【手続補正１】
【補正対象書類名】明細書
【補正対象項目名】発明の名称
【補正方法】変更
【補正の内容】
【発明の名称】デジタルデータの送信装置
【手続補正２】
【補正対象書類名】特許請求の範囲
【補正対象項目名】全文
【補正方法】変更
【補正の内容】
【特許請求の範囲】
【請求項１】
複数種類のデジタル変調方式を時分割多重伝送する衛星データ伝送システムに用いる送信装置において、
データ、外符号符号化された外符号パリティ、および内符号符号化された内符号パリティを含むスロットを複数構成するフレームを生成する手段と、
これらの複数のスロットによりフレーム構成された多重化データについて、伝送制御信号に基づいて位相同期を行って伝送する手段と、
を備えることを特徴とする送信装置。 
【請求項２】
複数種類のデジタル変調方式を時分割多重伝送する衛星データ伝送システムに用いる送信装置において、
フレームを生成する手段と、外符号符号化を行う手段と、内符号符号化を行う手段と、エネルギー拡散を行う手段と、指定された変調方式によりマッピングを行う手段と、時分割多重および直交変調を行う手段とを備え、
少なくともデータ、前記外符号符号化された外符号パリティ、および前記内符号符号化された内符号パリティを含むスロットを複数構成し、これらの複数のスロットによりフレーム構成された多重化データを、伝送制御信号に基づいて伝送することを特徴とする送信装置。 
【請求項３】
請求項２に記載の送信装置において、 
前記スロットが、制御情報、データ、前記外符号符号化された外符号パリティおよび前記内符号符号化された内符号パリティを含んで構成されることを特徴とする送信装置。 
【請求項４】
請求項３に記載の送信装置において、 
前記内符号に周期ＭのＬＤＰＣ符号を用い、前記制御情報と外符号パリティのビット長の和がＭの整数倍であることを特徴とする送信装置。
【請求項５】
請求項２に記載の送信装置において、 
前記スロットが、制御情報、データ、前記外符号符号化された外符号パリティ、スタッフビットおよび前記内符号符号化された内符号パリティにより構成されることを特徴とする送信装置。 
【請求項６】
請求項５に記載の送信装置において、 
前記内符号に周期ＭのＬＤＰＣ符号を用い、前記制御情報と外符号パリティとスタッフビットのビット長の和がＭの整数倍であることを特徴とする送信装置。 
【請求項７】
請求項２〜６のうちのいずれか一項に記載の送信装置において、
前記スロット長が５６１００ビット、４４８８０ビット、６２０４０ビット、６４２６０ビット、６０４８０ビット、６４９８０ビット、６３８４０ビットおよび６５２８０ビットのうちのいずれかであることを特徴とする送信装置。 
【請求項８】
請求項２〜７のうちのいずれか一項に記載の送信装置において、
前記多重化データに、さらに、同期符号、パイロット用データ、伝送制御信号および伝送制御用パリティのうちの少なくとも一つを備えたことを特徴とする送信装置。 
【請求項９】
請求項８に記載の送信装置において、
最大効率の変調方式を３２ＡＰＳＫまたは３２ＱＡＭとし、前記フレームを構成するスロット数を１２０とすることを特徴とする送信装置。
【請求項１０】
請求項９に記載の送信装置において、
前記１フレームあたりの同期符号のビット数を２８８０ビットとし、該同期符号を２４変調シンボル単位で伝送することを特徴とする送信装置。 
【請求項１１】
請求項１０に記載の送信装置において、
前記２４変調シンボル単位で伝送される同期符号を、奇数番目の変調スロットにおいては同一のパターンの符号とし、偶数番目の変調スロットにおいては交互に同一のパターンおよびビット反転したパターンの符号とすることを特徴とする送信装置。 
【請求項１２】
請求項１１に記載の送信装置において、
２４変調シンボル単位で伝送される同期符号パターンを、奇数番目の変調スロットにおいては０ｘ３６７１５ａ＝００１１０１１００１１１０００１０１０１１０１０とし、偶数番目の変調スロットにおいては０ｘ５２ｆ８６６＝０１０１００１０１１１１１００００１１００１１０とそのビット反転パターン０ｘａｄ０７９９＝１０１０１１０１０００００１１１１００１１００１とが交互に繰り返されるものとすることを特徴とする送信装置。
【請求項１３】
請求項９に記載の送信装置において、
前記１フレームあたりのパイロット信号のシンボル数を３８４０ビットとし、該パイロット信号を３２変調シンボル単位で伝送することを特徴とする送信装置。 
【請求項１４】
請求項９に記載の送信装置において、
前記１フレームあたりの伝送制御信号のビット数を３１６８０ビットとし、該伝送制御信号を４変調シンボル単位で伝送することを特徴とする送信装置。
【請求項１５】
請求項８に記載の送信装置において、
最大効率の変調方式を１６ＡＰＳＫまたは１６ＱＡＭとし、前記フレームを構成するスロット数を９６とすることを特徴とする送信装置。 
【請求項１６】
請求項１５に記載の送信装置において、
前記１フレームあたりの同期符号のビット数を２３０４ビットとし、該同期符号を２４変調シンボル単位で伝送することを特徴とする送信装置。 
【請求項１７】
請求項１６に記載の送信装置において、
前記２４変調シンボル単位で伝送される同期符号を、奇数番目の変調スロットにおいては同一のパターンの符号とし、偶数番目の変調スロットにおいては交互に同一のパターンおよびビット反転したパターンの符号とすることを特徴とする送信装置。 
【請求項１８】
請求項１７に記載の送信装置において、
２４変調シンボル単位で伝送される同期符号パターンを、奇数番目の変調スロットにおいては０ｘ３６７１５ａ＝００１１０１１００１１１０００１０１０１１０１０とし、偶数番目の変調スロットにおいては０ｘ５２ｆ８６６＝０１０１００１０１１１１１００００１１００１１０とそのビット反転パターン０ｘａｄ０７９９＝１０１０１１０１０００００１１１１００１１００１とが交互に繰り返されるものとすることを特徴とする送信装置。
【請求項１９】
請求項１５に記載の送信装置において、
前記１フレームあたりのパイロット信号のシンボル数を１５３６ビットとし、該パイロット信号を１６変調シンボル単位で伝送することを特徴とする送信装置。  
【請求項２０】
請求項１５に記載の送信装置において、
前記１フレームあたりの伝送制御信号のビット数を３２６４０ビットとし、該伝送制御信号を４変調シンボル単位で伝送することを特徴とする送信装置。
【手続補正３】
【補正対象書類名】明細書
【補正対象項目名】０００１
【補正方法】変更
【補正の内容】
【０００１】
本発明は、デジタルデータの伝送技術に係り、特に、フレーム構造を構成してデータ伝送を行なう送信装置に関する。 
【手続補正４】
【補正対象書類名】明細書
【補正対象項目名】００２４
【補正方法】変更
【補正の内容】
【００２４】
そこで、本発明は前記課題を解決するためになされたものであり、その目的は、より長い符号長の誤り訂正符号にも対応し、かつ、変調方式と符号化率とを自由に組み合わせることにより、ＭＰＥＧ−２ ＴＳおよびその他のデジタルデータストリームを効率良く伝送可能なデジタルデータ送信装置を提供することにある。 
【手続補正５】
【補正対象書類名】明細書
【補正対象項目名】００２５
【補正方法】変更
【補正の内容】
【００２５】
上記課題を解決するため、本発明による送信装置は、複数種類のデジタル変調方式を時分割多重伝送する衛星データ伝送システムに用いる送信装置において、データ、外符号符号化された外符号パリティ、および内符号符号化された内符号パリティを含むスロットを複数構成するフレームを生成する手段と、これらの複数のスロットによりフレーム構成された多重化データについて、伝送制御信号に基づいて位相同期を行って伝送する手段と、
を備えることを特徴とする。
また、本発明による送信装置は、複数種類のデジタル変調方式を時分割多重伝送する衛星データ伝送システムに用いる送信装置において、フレームを生成する手段と、外符号符号化を行う手段と、内符号符号化を行う手段と、エネルギー拡散を行う手段と、指定された変調方式によりマッピングを行う手段と、時分割多重および直交変調を行う手段とを備え、少なくともデータ、前記外符号符号化された外符号パリティ、および前記内符号符号化された内符号パリティを含むスロットを複数構成し、これらの複数のスロットによりフレーム構成された多重化データを、伝送制御信号に基づいて伝送することを特徴とする。
【手続補正６】
【補正対象書類名】明細書
【補正対象項目名】００２８
【補正方法】変更
【補正の内容】
【００２８】
また、本願発明は、前記内符号に周期ＭのＬＤＰＣ符号を用い、前記制御情報と外符号パリティのビット長の和がＭの整数倍であることを特徴とする。
【手続補正７】
【補正対象書類名】明細書
【補正対象項目名】００３０
【補正方法】変更
【補正の内容】
【００３０】
また、本願発明は、前記内符号に周期ＭのＬＤＰＣ符号を用い、前記制御情報と外符号パリティとスタッフビットのビット長の和がＭの整数倍であることを特徴とする。 
【手続補正８】
【補正対象書類名】明細書
【補正対象項目名】００６０
【補正方法】変更
【補正の内容】
【００６０】
以上の条件２、３および４を満たすためには、バイト単位で処理する必要がない場合、スロット長をＬＣＭ（３７４，６０）＝ＬＣＭ（２×１１×１７，２×２×３×５）＝２×２×３×５×１１×１７＝１１２２０ビットの整数倍にすればよい（ＬＣＭ：最小公倍数）。さらに条件１を満たすためには、６４８００と同程度の数字として、１１２２０×５＝５６１００および１１２２０×６＝６７３２０とすればよい。しかし、後者は１６ビットで表現できる２１６−１＝６５５３５を超えるため、ハードウェアの規模が急増する恐れがあることから、望ましくない。したがって、スロット長Ｓｌは、５６１００ビットとすることが望ましい。また、データとしてＬＤＰＣパリティとの配分を柔軟に行なうためには、制御情報と外符号パリティとスタッフビットのビット数の和（スタッフビットを使用しない場合は制御情報と外符号パリティのビット数の和、以下同じ）は、ＬＤＰＣの周期Ｍ（＝３７４）の整数倍とする必要がある。なお、伝送しようとするデータの単位が１８７バイトでない場合、例えば１８８バイト、１８９バイト、１９０バイト、および１９２バイトの場合、同様の計算でそれぞれＬＤＰＣの周期Ｍはそれぞれ３７６、３７８、３８０、および３８４とする必要があり、このときのスロット長はそれぞれ、６２０４０、６０４８０、６３８４０および６５２８０となる。